(57)【特許請求の範囲】
【請求項１】
鉄筋を有する第１プレキャストコンクリート部材と、鉄筋を有する第２プレキャストコンクリート部材との接合方法であって、
前記第１プレキャストコンクリート部材の鉄筋と前記第２プレキャストコンクリート部材の鉄筋とを接続する接続部材を、前記第１プレキャストコンクリート部材及び前記第２プレキャストコンクリート部材の一方に、前記接続部材の軸方向に移動可能に挿入しておき、
前記接続部材を、前記第１プレキャストコンクリート部材及び前記第２プレキャストコンクリート部材の他方から離間させた状態で、前記第１及び第２プレキャストコンクリート部材を建て込む工程と、
前記接続部材を、前記第１プレキャストコンクリート部材及び前記第２プレキャストコンクリート部材の他方に接近させ、前記第１プレキャストコンクリート部材及び前記第２プレキャストコンクリート部材の他方の鉄筋にネジ式の第１機械式継手により継手する工程と、
前記接続部材を、前記第１プレキャストコンクリート部材及び前記第２プレキャストコンクリート部材の一方の鉄筋にスリーブ式の第２機械式継手により継手する工程と、
を実施するプレキャストコンクリート部材の接合方法。
【請求項２】
前記接続部材は接続鉄筋であり、
前記第１機械式継手として、前記第１プレキャストコンクリート部材及び前記第２プレキャストコンクリート部材の他方の鉄筋と前記接続鉄筋とに螺合するカプラーナットと、前記第１プレキャストコンクリート部材及び前記第２プレキャストコンクリート部材の他方の鉄筋に螺合する第１ロックナットと、前記接続鉄筋に螺合する第２ロックナットとを有する継手を用いる請求項１に記載のプレキャストコンクリート部材の接合方法。
【請求項３】
前記第１プレキャストコンクリート部材及び前記第２プレキャストコンクリート部材を建て込む工程では、前記第２プレキャストコンクリート部材を前記第１プレキャストコンクリート部材から離間する側へ寄せた状態で、前記第１プレキャストコンクリート及び第２プレキャストコンクリート部材を建て込む請求項１又は請求項２に記載のコンクリート部材の接合方法。
【発明の詳細な説明】
【技術分野】
【０００１】
本発明は、鉄筋を有する第１及び第２プレキャストコンクリート部材を接合する方法に関する。
【背景技術】
【０００２】
ＰＣ梁を、その両側のＰＣ仕口部の間へ、現場でのコンクリート打設を行うことなく建て込むＰＣ柱梁の接合方法が知られている（例えば、特許文献１参照）。このＰＣ柱梁の接合方法では、建物の最外部において、定着鉄筋を建物外側からＰＣ仕口部に形成された貫通孔とＰＣ梁の端部に埋設された継手とに挿通する工程を実施する。
【先行技術文献】
【特許文献】
【０００３】
【特許文献１】特開２００６―２２４９４号公報
【発明の概要】
【発明が解決しようとする課題】
【０００４】
ＰＣ梁と、そのＰＣ梁を梁主筋の軸方向に挟み込む両側のＰＣ仕口部あるいはＰＣ柱とを建て込む際、ＰＣ梁やＰＣ仕口部あるいはＰＣ柱から梁主筋を突出させた場合には、建物の最外部において、ＰＣ梁とＰＣ仕口部あるいはＰＣ柱との接合部を、現場でのコンクリート打設により構築する必要がある。一方、特許文献１記載のＰＣ柱梁接合方法のように、ＰＣ仕口部等から梁主筋を突出させない場合には、建物の最外部において、定着鉄筋を建物外側からＰＣ仕口部に形成された貫通孔とＰＣ梁の端部に埋設された継手とに挿通する工程を要する。
【０００５】
本発明は、上記事情に鑑みてなされたものであり、鉄筋を有するコンクリート造りの第１部材と、鉄筋を有するコンクリート造りの第２部材とを効率的に接合できるコンクリート部材の接合方法を提供するものである。
【課題を解決するための手段】
【０００６】
上記課題を解決するために、本発明に係るプレキャストコンクリート部材の接合方法は、鉄筋を有する第１プレキャストコンクリート部材と、鉄筋を有する第２プレキャストコンクリート部材との接合方法であって、前記第１プレキャストコンクリート部材の鉄筋と前記第２プレキャストコンクリート部材の鉄筋とを接続する接続部材を、前記第１プレキャストコンクリート部材及び前記第２プレキャストコンクリート部材の一方に、前記接続部材の軸方向に移動可能に挿入しておき、前記接続部材を、前記第１プレキャストコンクリート部材及び前記第２プレキャストコンクリート部材の他方から離間させた状態で、前記第１及び第２プレキャストコンクリート部材を建て込む工程と、前記接続部材を、前記第１プレキャストコンクリート部材及び前記第２プレキャストコンクリート部材の他方に接近させ、前記第１プレキャストコンクリート部材及び前記第２プレキャストコンクリート部材の他方の鉄筋にネジ式の第１機械式継手により継手する工程と、前記接続部材を、前記第１プレキャストコンクリート部材及び前記第２プレキャストコンクリート部材の一方の鉄筋にスリーブ式の第２機械式継手により継手する工程と、を実施する。
【０００７】
上記プレキャストコンクリート部材の接合方法において、前記接続部材は接続鉄筋であってもよく、前記第１機械式継手として、前記第１プレキャストコンクリート部材及び前記第２プレキャストコンクリート部材の他方の鉄筋と前記接続鉄筋とに螺合するカプラーナットと、前記第１プレキャストコンクリート部材及び前記第２プレキャストコンクリート部材の他方の鉄筋に螺合する第１ロックナットと、前記接続鉄筋に螺合する第２ロックナットとを有する継手を用いてもよい。
【０００９】
上記プレキャストコンクリート部材の接合方法において、前記第１プレキャストコンクリート部材及び前記第２プレキャストコンクリート部材を建て込む工程では、前記第２プレキャストコンクリート部材を前記第１プレキャストコンクリート部材から離間する側へ寄せた状態で、前記第１及び第２プレキャストコンクリート部材を建て込んでもよい。
【発明の効果】
【００１０】
上記コンクリート部材の接合方法によれば、鉄筋を有するコンクリート造りの第１部材と、鉄筋を有するコンクリート造りの第２部材とを効率的に接合できる。
【図面の簡単な説明】
【００１１】
【図１】一実施形態に係る架構の建物外側部分を示す立面断面図である。
【図２】一実施形態に係る架構の建物内側部分を示す立面断面図である。
【図３】機械式継手を拡大して示す図である。
【図４】機械式継手を拡大して示す断面図である。
【図５】ＰＣ梁とＰＣ柱との接合部を拡大して示す立面断面図である。
【図６】ＰＣ梁とＰＣ柱との接合方法を説明するための立面断面図である。
【図７】ＰＣ梁とＰＣ柱との接合方法を説明するための立面断面図である。
【図８】ＰＣ梁とＰＣ柱との接合方法を説明するための立面断面図である。
【図９】ＰＣ梁とＰＣ柱との接合方法を説明するための立面断面図である。
【図１０】ＰＣ梁とＰＣ柱との接合方法を説明するための立面断面図である。
【図１１】他の実施形態に係る架構のＰＣ梁とＰＣ柱との接合部を拡大して示す立面断面図である。
【図１２】他の実施形態に係るＰＣ梁とＰＣ柱との接合方法を説明するための立面断面図である。
【図１３】他の実施形態に係るＰＣ梁とＰＣ柱との接合方法を説明するための立面断面図である。
【図１４】他の実施形態に係るＰＣ梁とＰＣ柱との接合方法を説明するための立面断面図である。
【図１５】他の実施形態に係る架構を示す立面断面図である。
【図１６】他の実施形態に係る架構を示す立面断面図である。
【図１７】ＰＣ梁とＰＣ柱との接合方法を説明するための立面断面図である。
【図１８】他の実施形態に係るＰＣ梁とＰＣ柱との接合方法を説明するための立面断面図である。
【図１９】他の実施形態に係るＰＣ梁とＰＣ柱との接合方法を説明するための立面断面図である。
【図２０】他の実施形態に係る架構を示す立面断面図である。
【図２１】他の実施形態に係るＰＣ梁とＰＣ柱との接合方法を説明するための立面断面図である。
【図２２】他の実施形態に係るＰＣ梁とＰＣ柱との接合方法を説明するための立面断面図である。
【図２３】他の実施形態に係る架構を示す立面断面図である。
【図２４】（Ａ）、（Ｂ）は、他の実施形態に係るＰＣ梁とＰＣ柱との接合方法を説明するための立面断面図である。
【図２５】他の実施形態に係る架構を示す立面断面図である。
【図２６】（Ａ）、（Ｂ）は、他の実施形態に係るＰＣ梁とＰＣ柱との接合方法を説明するための立面断面図である。
【図２７】他の実施形態に係る架構を示す立面断面図である。
【図２８】（Ａ）、（Ｂ）は、他の実施形態に係るＰＣ梁とＰＣ柱との接合方法を説明するための立面断面図である。
【図２９】他の実施形態に係る架構を示す立面断面図である。
【図３０】（Ａ）〜（Ｃ）は、他の実施形態に係るＰＣ梁とＰＣ柱との接合方法を説明するための立面断面図である。
【発明を実施するための形態】
【００１２】
以下、本発明の一実施形態を、図面を参照しながら説明する。図１は、一実施形態に係る架構１０の建物外側部分を示す立面断面図である。また、図２は、架構１０の建物内側部分を示す立面断面図である。なお、説明の便宜上、これらの図及び他の図に示すように、互いに直交する３方向をそれぞれ、上下方向、左右方向及び前後方向と定義する。ここで図中左側は建物外側に相当し、図中右側は建物内側に相当する。
【００１３】
架構１０は、ＰＣ柱２０、３０とＰＣ梁４０、５０とを備える。ＰＣ柱２０は、建物の最外部に配置された柱である。ＰＣ柱３０は、建物の内側に配置された柱である。ＰＣ梁４０は、ＰＣ柱２０とＰＣ柱３０との間に建て込まれた梁であり、また、ＰＣ梁５０は、隣り合うＰＣ柱３０の間に建て込まれた梁である。
【００１４】
ＰＣ梁５０には梁主筋５２が埋設されている。この梁主筋５２の右端側は、ＰＣ梁５０の右端面から突出している。また、ＰＣ梁５０の左端部には、シース管５４が埋設され、ＰＣ梁５０のシース管５４よりも右側にはスリーブ式の機械式継手５６が埋設されている。シース管５４と機械式継手５６とは、梁主筋５２と同軸的に配されており、梁主筋５２の左端部が、機械式継手５６の中間部まで延びている。なお、架構１０を施工している間、機械式継手５６の中間部には、ストッパ５８が仮設される。
【００１５】
また、ＰＣ柱３０には、梁主筋５２が挿通されるシース管３４が埋設されている。ここで、図２に示すように、梁主筋５２の右端側は、右側のＰＣ柱３０のシース管３４と右側のＰＣ梁５０のシース管５４とに挿通され、その先端は、機械式継手５６の中間部まで延びている。また、ＰＣ柱３０には、不図示の柱主筋が埋設されており、該柱主筋が、下階のＰＣ柱等に埋設された不図示の継手に挿入されている。
【００１６】
ここで、機械式継手５６内において互いに突き合わされた左右の梁主筋５２の隙間は十〜数十ｍｍ程度に設定されている。このため、ＰＣ柱３０を下階のＰＣ柱等に定着させる前は、ＰＣ柱３０とＰＣ梁５０とを、右側へ十〜数十ｍｍ程度移動させることができる。
【００１７】
ＰＣ梁４０には梁主筋４２が埋設されている。この梁主筋４２の右端側は、ＰＣ梁４０の右端面から突出している。また、ＰＣ梁４０の左端部には、シース管４４が埋設され、ＰＣ梁４０のシース管４４よりも右側にはスリーブ式の機械式継手４６が埋設されている。シース管４４と機械式継手４６とは、梁主筋４２と同軸的に配されており、梁主筋４２の左端部が、機械式継手４６の中間部まで延びている。なお、架構１０を施工している間、機械式継手４６の中間部には、ストッパ４８が仮設される。
【００１８】
また、シース管４４には、接続鉄筋（雇い鉄筋）６０が挿通され、この接続鉄筋６０の右端部は、機械式継手４６の中間部まで延びている。また、接続鉄筋６０の左端部は、ＰＣ梁４０の左端面から突出している。
【００１９】
ＰＣ柱２０には、梁主筋４２と接続される鉄筋２２が埋設されている。また、ＰＣ柱２０には、不図示の柱主筋が埋設されており、該柱主筋が、下階のＰＣ柱等に埋設された不図示の継手に挿入されている。
【００２０】
ここで、接続鉄筋６０の左端部と鉄筋２２の右端部とは、機械式継手７０により締結されている。図３は、機械式継手７０を拡大して示す側面図であり、図４は、機械式継手７０を拡大して示す断面図である。これらの図に示すように、機械式継手７０は、接続鉄筋６０の左端部に設けられたネジ部７１と、鉄筋２２の右端部に設けられたネジ部７２と、ネジ部７１、７２にそれぞれ螺合したロックナット７３、７４と、ネジ部７１、７２の双方に螺合したカプラーナット７５と、ネジ部７１の基端部、ネジ部７２の基端部にそれぞれ形成されたバリ７６、７７とを備えている。
【００２１】
ロックナット７３、７４は、外形が六角等の多角形や円形等であるナットであり、カプラーナット７５は、外形が六角等の多角形である長尺のナットである。また、バリ７６、７７は、それぞれネジ部７１、７２よりも大径のフランジ部であり、バリ７６は、ネジ部７１の基端側へのロックナット７３の移動を制限し、バリ７７は、ネジ部７２の基端側へのロックナット７４の移動を制限する。
【００２２】
接続鉄筋６０側のロックナット７３をバリ７６に当接させ、カプラーナット７５をロックナット７３に当接させ、鉄筋２２側のロックナット７４をカプラーナット７５に当接させた状態で、ロックナット７３、７４をレンチで締め込むことにより、機械式継手７０は締結状態となる。
【００２３】
図５は、ＰＣ梁４０とＰＣ柱２０との接合部を拡大して示す立面断面図である。この図に示すように、接続鉄筋６０は、ＰＣ梁４０のシース管４４と機械式継手４６との中に挿し込まれた状態であり、機械式継手７０により鉄筋２２と接続される前は、左右に移動させることができる。
【００２４】
ここで、架構１０を建方している間、機械式継手４６の中間部には、ストッパ４８が仮設されており、接続鉄筋６０の右側への移動が制限される。接続鉄筋６０の右端部をストッパ４８に当接させた状態で、接続鉄筋６０の左端側は、ＰＣ梁４０の左端部から数十ｍｍ程度突出する。
【００２５】
また、ＰＣ梁４０の左端には、周縁部を残して数十ｍｍ程度凹んだ凹部４１が形成されている。また、ＰＣ柱２０の右端にも、数十ｍｍ程度凹んだ凹部２１が形成されている。ここで、凹部２１の深さは、ロックナット７３の高さ程度に設定されている。
【００２６】
図６から図１０は、ＰＣ柱２０とＰＣ梁４０との接合方法を説明するための立面断面図である。図６に示すように、まず、ＰＣ梁５０とＰＣ柱３０とを建て込む工程を実施し、次に、ＰＣ梁４０を右側へ水平に移動させることにより、梁主筋４２を、ＰＣ柱３０のシース管３４とＰＣ梁５０のシース管５４と機械式継手５６とに挿入する工程を実施する。
【００２７】
この工程は、ＰＣ柱３０を下階のＰＣ柱等に定着させることなく実施する。また、この工程では、図中矢印で示すように、ＰＣ梁５０とＰＣ柱３０とを図中破線で示す正規位置よりも右側に寄せておく。この際のＰＣ梁５０とＰＣ柱３０との右側へのシフト量は、機械式継手５６内における左側の梁主筋５２と仮設のストッパとの隙間長（十〜数十ｍｍ程度）と同量である。また、図中矢印で示すように、ＰＣ梁４０を正規位置よりも右側へ寄せておく。この際のＰＣ梁４０の右側へのシフト量は、機械式継手５６内における梁主筋４２と仮設のストッパとの隙間長（数十ｍｍ程度）と、ＰＣ柱３０のシフト量とを合計した量である。
【００２８】
次に、ＰＣ柱２０を下階のＰＣ柱等の上に建て込む工程を実施する。この工程では、ＰＣ柱２０を垂直に下降させ、ＰＣ柱２０の柱主筋を下階のＰＣ柱等の継手に挿入する。この際、ＰＣ柱２０を、十〜数十ｍｍ程度、正規位置よりも左側に寄せて建て込むことにより、ＰＣ梁４０とＰＣ柱２０との隙間を拡大する。また、ＰＣ梁４０、５０、及びＰＣ柱３０を正規位置よりも右側へ寄せて建て込んだことにより、ＰＣ梁４０とＰＣ柱２０との隙間は、そのシフト量だけ拡大されている。また、接続鉄筋６０は、機械式継手４６内の仮設のストッパ４８に当接するまで右側へ寄せられている。
【００２９】
この状態で、ＰＣ梁４０の左端部とＰＣ柱２０の右端部との距離が、接続鉄筋６０のＰＣ梁４０の左端部からの突出量よりも大きくなるように、ＰＣ梁４０、５０及びＰＣ柱３０のシフト量や、ストッパ４８の仮設位置や、接続鉄筋６０の長さ等が設定されている。これにより、ＰＣ柱２０を下階のＰＣ柱等の上に下降させる際に、ＰＣ柱２０と接続鉄筋６０とが干渉することを防止できる。
【００３０】
次は、図７に示すように、ＰＣ梁４０とＰＣ柱２０とを接合する工程を実施する。この工程では、まず、接続鉄筋６０をＰＣ柱２０側へ移動させると共に、接続鉄筋６０側のネジ部７１の軸心と鉄筋２２側のネジ部７２の軸心との位置合わせを行う。
【００３１】
ここで、当該工程を実施する前に、機械式継手７０を次のように設定する。まず、カプラーナット７５は、鉄筋２２側のネジ部７２に螺合させる。また、カプラーナット７５は、鉄筋２２側のロックナット７４に当接させる。この状態で、カプラーナット７５の右端部が、ＰＣ柱２０の凹部２１とおおよそ面一となるように、カプラーナット７５及びロックナット７４の位置が設定されている。また、接続鉄筋６０側のロックナット７３は、接続鉄筋６０側のバリ７６に当接させる。即ち、ロックナット７３は、最大限、右側に寄せておく。
【００３２】
次は、機械式継手７０を締結させる。この締結作業では、接続鉄筋６０を回転させて接続鉄筋６０側のネジ部７１をカプラーナット７５に螺合させる。そして、接続鉄筋６０側のロックナット７３を、カプラーナット７５に当接させた状態で、所定トルクで締め込む。以上の締結作業を、作業員が、ＰＣ柱２０とＰＣ梁４０との隙間に手を入れて行う。なお、凹部２１の深さが、接続鉄筋６０側のロックナット７３の高さ程度に設定されていることにより、ロックナット７３がＰＣ柱２０の右端面から突出することが防止されている。
【００３３】
次は、図８に示すように、ＰＣ梁４０、５０とＰＣ柱３０とを、左側へ移動させ、ＰＣ柱２０を右側へ移動させる工程を実施する。この工程では、上述のＰＣ梁５０とＰＣ柱３０とを建て込む工程を実施する前に、ＰＣ梁４０、５０とＰＣ柱２０、３０とをシフトさせた方向の逆方向へ、シフト量と同量だけ移動させる。これにより、ＰＣ梁４０、５０とＰＣ柱２０、３０とを正規位置に配置する。
【００３４】
その後、シース管３４、５４、機械式継手４６、５６、及び機械式継手７０の周囲にグラウトを注入することにより、梁主筋４２、５２が、シース管３４、５４、機械式継手５６に定着させ、接続鉄筋６０が、シース管４４、機械式継手４６、機械式継手７０に定着させる。また、ＰＣ柱２０、３０を下階のＰＣ柱等に定着させる。また、ＰＣ梁４０の凹部４１とＰＣ柱２０の凹部２１にグラウトを充填する。
以上のようにして、ＰＣ柱２０、３０とＰＣ梁４０、５０とが接合されて架構１０が建方される。
【００３５】
ここで、本実施形態に係るコンクリート部材の接合方法では、ＰＣ梁４０、ＰＣ柱２０、３０を建て込む際に、接続鉄筋６０を正規位置よりも右側へ寄せておき、接続鉄筋６０のＰＣ梁４０の左端部からの突出量を、ＰＣ梁４０の左端部とＰＣ柱２０の右端部との距離よりも小さくしている。これにより、ＰＣ梁４０を建て込んだ後、ＰＣ柱２０を垂直に降下させて下階のＰＣ柱等の上に建て込むことができる。
【００３６】
そして、ＰＣ梁４０、ＰＣ柱２０を建て込んだ後、接続鉄筋６０をＰＣ梁４０から引き出してＰＣ柱２０に埋設された鉄筋２２と機械式継手７０により継手する。この作業では、ＰＣ梁４０の左端部とＰＣ柱２０の右端部との間から手を入れて接続鉄筋６０を回転させて接続鉄筋６０の左端部をカプラーナット７５に螺合させる。
【００３７】
以上により、本実施形態に係るコンクリート部材の接合方法によれば、現場での大掛かりなコンクリートの打設を伴うことなく、また、ＰＣ柱２０を建て込んだ後に建物外側から接続鉄筋を挿入する工程を伴うこともなく、軸方向一端をＰＣ柱３０に接合されたＰＣ梁４０と、ＰＣ柱２０とを接合できる。
【００３８】
また、本実施形態に係るコンクリート部材の接合方法では、ＰＣ梁４０、ＰＣ柱２０、３０を建て込む際に、ＰＣ梁４０、５０とＰＣ柱３０とを正規位置よりもＰＣ柱２０の反対側へ寄せておき、ＰＣ柱２０を正規位置よりもＰＣ梁４０の反対側へ寄せている。これにより、ＰＣ梁４０の左端部とＰＣ柱２０との右端部との距離を拡大でき、接続鉄筋６０を鉄筋２２に機械式継手７０により継手する作業スペースを拡大できる。従って、機械式継手７０による継手作業の作業性を向上できる。
【００３９】
また、本実施形態に係るコンクリート部材の接合方法では、二重ナット構造の機械式継手７０により接続鉄筋６０と鉄筋２２とを継手している。これにより、接続鉄筋６０と鉄筋２２との緩み止めの効果を向上でき、以って、接続鉄筋６０のカプラーナット７５との螺合長をより短くできる。従って、建て込みの際における接続鉄筋６０のＰＣ梁４０の左端部からの突出量を、ＰＣ梁４０の左端部とＰＣ柱２０の右端部との距離よりも小さくすると共に、機械式継手７０による接続鉄筋６０と鉄筋２２との連結強度を確保することを、容易になし得る。
【００４０】
また、本実施形態に係るコンクリート部材の接合方法では、ＰＣ梁４０の左端部とＰＣ柱２０の右端部とに互いに対向して凹部４１、２１を形成したことにより、機械式継手７０により接続鉄筋６０と鉄筋２２とを継手する作業スペースを拡大できる。従って、機械式継手７０による継手作業の作業性を向上できる。
【００４１】
なお、本実施形態では、ＰＣ梁４０、５０とＰＣ柱３０とを正規位置よりも左側へ寄せ、ＰＣ柱２０を正規位置よりも右側へ寄せることにより、ＰＣ梁４０とＰＣ柱２０との隙間を拡大させた。しかし、接続鉄筋６０を右側へ寄せるだけで、接続鉄筋６０のＰＣ梁４０の左端部からの突出量が、ＰＣ梁４０の左端部とＰＣ柱２０の右端部との距離よりも小さくなる場合には、ＰＣ梁４０、５０とＰＣ柱２０、３０とを正規位置に建て込んでもよい。
【００４２】
また、本実施形態では、接続鉄筋６０をＰＣ梁４０に挿入し、機械式継手７０のカプラー７５をＰＣ柱２０の接続鉄筋２２に螺合させた状態で、ＰＣ梁４０とＰＣ柱２０とを建て込んだ。しかし、接続鉄筋６０をＰＣ柱２０に挿入し、機械式継手７０のカプラー７５をＰＣ梁４０の梁主筋４２に螺合させた状態で、ＰＣ梁４０とＰＣ柱２０とを建て込んでもよい。
【００４３】
また、ＰＣ柱２０、３０の長さは、１階分の長さとしてもよく、複数階分の長さとしてもよい。さらには、１階分に満たない長さのＰＣ柱２０、３０を積み上げることにより、１階分の長さの柱を構築してもよい。
【００４４】
図９は、他の実施形態に係る架構におけるＰＣ柱２０とＰＣ梁４０との接合部を拡大して示す立面断面図である。この図に示すように、本実施形態に係る架構では、上記実施形態のネジ式の機械式継手７０、スリーブ式の機械式継手４６に替えてネジ式の機械式継手９０Ａ、９０Ｂを用い、接続鉄筋６０に替えてボルト９３を用いている。また、シース管４４内には機械式継手７０Ａによりボルト９３に継手される鉄筋６１が挿入されている。
【００４５】
機械式継手９０Ａは、鉄筋６１の左端に結合されたスリーブ９１と、ボルト９３に固定された固定ナット９４とを備えている。また、機械式継手９０Ｂは、鉄筋２２の右端に結合されたスリーブ９２と、ボルト９３に螺合した移動ナット９５とを備えている。スリーブ９１は、シース管４４内に配され、スリーブ９２は、ＰＣ柱２０の左端に埋設されている。固定ナット９４は、スリーブ９１に当接し、移動ナット９５は、スリーブ９２に当接している。
【００４６】
ここで、ボルト９３の左端部とスリーブ９２のネジ部の最奥部との間、固定ナット９４と移動ナット９５とは、離間されている。このため、図１０に示すように、機械式継手９０により接続鉄筋６０を鉄筋２２に締結する前の状態では、ボルト９３を、固定ナット９４と移動ナット９５との距離分あるいはボルト９３の左端部とスリーブ９２のネジ部の最奥部との距離分だけ、ＰＣ柱２０側へ移動させることができる。これにより、ＰＣ梁４０の左端部とＰＣ柱２０の右端部との距離を、ボルト９３のＰＣ柱２０の右端部からの突出量よりも大きくなるように設定することが可能となる。
【００４７】
図１０から図１２までは、ＰＣ梁４０とＰＣ柱２０とを接合する工程を示す立面断面図である。図１０に示すように、まず、ボルト９３の軸心とスリーブ９１の軸心との位置合わせを行う。
【００４８】
ここで、当該工程を実施する前に、機械式継手９０Ａ、９０Ｂを次のように設定する。まず、ボルト９３は、ＰＣ柱２０に埋設されたスリーブ９２のネジ部に捩じ込んでおく。また、移動ナット９５は、スリーブ９２と固定ナット９４とに当接させておく。
【００４９】
次は、機械式継手９０Ａ、９０Ｂを締結させる。この締結作業では、図１１に示すように、ボルト９３を回転させてＰＣ梁４０側のスリーブ９１に螺合させる。この際、固定ナット９４が、スリーブ９１に当接するまで、ボルト９３をスリーブ９１の奥側へ移動させる。次に、図１２に示すように、移動ナット９５を回転させてスリーブ９２側に移動させ、スリーブ９２に当接させる。この状態で、固定ナット９４と移動ナット９５とを所定トルクで締め付ける。以上の締結作業を、作業員が、ＰＣ柱２０とＰＣ梁４０との隙間に手を入れて行う。
【００５０】
以上、本実施形態に係るコンクリート部材の接合方法では、接続部材としてのボルト９３を、その軸方向に移動可能にＰＣ梁４０に挿入しておき、ボルト９３をＰＣ梁４０から離間させた状態で、ＰＣ柱２０とＰＣ梁４０とを建て込む。そして、ボルト９３をＰＣ梁４０に接近させてＰＣ梁４０の鉄筋６１にネジ式の機械式継手９０Ａにより継手する。また、ボルト９３をネジ式の機械式継手９０ＢによりＰＣ柱２０の鉄筋２２に継手する。  以上により、現場での大掛かりなコンクリートの打設を伴うことなく、また、ＰＣ柱２０を建て込んだ後に建物外側から接続鉄筋を挿入する工程を伴うこともなく、軸方向一端をＰＣ柱３０に接合されたＰＣ梁４０と、ＰＣ柱２０とを接合できる。
【００５１】
図１３及び図１４は、他の実施形態に係る架構におけるＰＣ柱２０とＰＣ梁４０との接合部を拡大して示す立面断面図である。この図に示すように、本実施形態に係る架構では、上記実施形態におけるスリーブ式の機械式継手４６に替えてネジ式の機械式継手８０を用いている。この機械式継手８０は、シース管４４内に配されている。
【００５２】
機械式継手８０は、梁主筋４２の左端に結合されたスリーブ８１と、接続鉄筋６０の右端に結合されたスリーブ８２と、スリーブ８１、８２に螺合したボルト８３と、ボルト８３に螺合したナット８４、８５とを備えている。スリーブ８１のネジ部の長さは、スリーブ８２のネジ部の長さよりも長く設定されている。また、ナット８４は、スリーブ８１に当接し、ナット８５は、スリーブ８２に当接している。また、ボルト８３は、スリーブ８２のネジ部の最奥部まで捩じ込まれ、スリーブ８１のネジ部の先端部まで捩じ込まれている。
【００５３】
ここで、ボルト８３の右端部とスリーブ８１のネジ部の最奥部との間、ナット８４とナット８５とは、離間されている。このため、図１４に示すように、機械式継手７０により接続鉄筋６０を鉄筋２２に締結する前の状態では、接続鉄筋６０を、ナット８４とナット８５との距離分あるいはボルト８３の右端部とスリーブ８１のネジ部の最奥部との距離分だけ、ＰＣ柱２０の反対側へ移動させることができる。これにより、上記実施形態と同様、ＰＣ梁４０の左端部とＰＣ柱２０の右端部との距離を、接続鉄筋６０のＰＣ梁４０の左端部からの突出量よりも大きくなるように設定することが可能となる。
【００５４】
図１５は、他の実施形態に係る架構１００を示す立面断面図である。この図に示すように、架構１００は、柱部１２０Ｃと梁部１２０Ｂとが一体化されたＰＣ部材１２０と、ＰＣ柱３０と、ＰＣ梁４０、５０とを備える。ＰＣ部材１２０の柱部１２０Ｃは、建物の最外部に配置されている。また、ＰＣ部材１２０の梁部１２０Ｂは、ＰＣ梁４０と接合されている。
【００５５】
ＰＣ部材１２０には、接続鉄筋６０と接続される鉄筋１２２が埋設されている。鉄筋１２２の右端部は、梁部１２０Ｂの右端部まで延びている。また、柱部１２０Ｃには、不図示の柱主筋が埋設されており、該柱主筋が、下階のＰＣ柱等に埋設された不図示の継手に挿入される。
【００５６】
また、上記実施形態に係る架構１０と同様、接続鉄筋６０と鉄筋１２２とは、機械式継手７０により締結されている。鉄筋１２２の右端部にはネジ部７２が形成され、該ネジ部７２には、ロックナット７４とカプラーナット７５が螺合している。
【００５７】
本実施形態に係る架構１００も上記実施形態に係る架構１０と同様の方法で建方される。なお、本実施形態では、接続鉄筋６０をＰＣ梁４０に挿入し、機械式継手７０のカプラー７５をＰＣ部材１２０の接続鉄筋１２２に螺合させた状態で、ＰＣ梁４０とＰＣ部材１２０とを建て込んだ。しかし、接続鉄筋６０をＰＣ部材１２０に挿入し、機械式継手７０のカプラー７５をＰＣ梁４０の梁主筋４２に螺合させた状態で、ＰＣ梁４０とＰＣ部材１２０とを建て込んでもよい。
【００５８】
図１６は、他の実施形態に係る架構２００を示す立面断面図である。この図に示すように、架構２００は、ＰＣ柱２０と、ＰＣ柱３０と、ＰＣ梁２４０、２５０とを備える。ＰＣ梁２５０には梁主筋２５２が埋設されている。この梁主筋２５２の左端側には、機械式継手８０が連結されている。機械式継手８０は、シース管５４内に配されている。
【００５９】
ＰＣ柱３０のシース管３４内には、接続鉄筋２１０が配筋されている。接続鉄筋２１０の右端側は、機械式継手８０に連結されており、接続鉄筋２１０の左端側は、ＰＣ柱３０の左端面から突出している。
【００６０】
ここで、接続鉄筋２１０の左端側をＰＣ柱３０の左端面から突出させた状態では、機械式継手８０のボルト８３の右端部とスリーブ８１のネジ部の最奥部、及びナット８４とナット８５とは離間され、その離間距離の分だけ、接続鉄筋２１０を正規位置よりも右側に寄せることができる。
【００６１】
また、ＰＣ梁２４０には梁主筋２４２が埋設されている。梁主筋２４２の右端部と接続鉄筋２１０の左端部とは、機械式継手７０により締結されている。接続鉄筋２１０の左端部にはネジ部７１が形成され、梁主筋２４２の右端部にはネジ部７２が形成されており、カプラーナット７５がネジ部７１、７２に螺合し、ロックナット７３がネジ部７１にロックナット７４がネジ部７２に螺合している。
【００６２】
また、梁主筋２４２の左端部には機械式継手８０が連結されている。この機械式継手８０は、シース管４４内に配されている。また、シース管４４内には接続鉄筋６０が配されている。接続鉄筋６０の右端側は、機械式継手８０に連結されており、接続鉄筋２１０の左端側は、ＰＣ梁２４０の左端部から突出している。
【００６３】
ここで、接続鉄筋６０の左端側をＰＣ梁２４０の左端面から突出させた状態では、機械式継手８０のボルト８３の右端部とスリーブ８１のネジ部の最奥部、及びナット８４とナット８５とが離間し、その離間距離の分だけ、接続鉄筋６０を正規位置より右側に寄せることができる。
【００６４】
図１７から図１９までは、ＰＣ柱２０とＰＣ梁２４０との接合方法を説明するための立面断面図である。図１７に示すように、まず、ＰＣ梁２５０とＰＣ柱２０、３０とを建て込む工程を実施する。この工程では、接続鉄筋２１０をＰＣ柱３０のシース管３４とＰＣ梁２５０のシース管５４とに挿入し、機械式継手８０に連結する。
【００６５】
ここで、接続鉄筋２１０を機械式継手８０に連結する前の状態では、ボルト８３をスリーブ８１に螺合させ、ナット８４、８５をボルト８３に螺合させておく。また、接続鉄筋２１０のＰＣ柱３０の左端部からの突出量が、ＰＣ柱３０の左端部とＰＣ梁２４０の右端部との距離よりも小さくなるように、ボルト８３をスリーブ８１のネジ部の最奥部まで挿入すると共に、ナット８４をスリーブ８１に当接させ、ナット８５をナット８４に当接させておく。
【００６６】
次は、図１８に示すように、ＰＣ梁２４０を垂直に降下させ、ＰＣ梁２４０の左右両側の機械式継手７０の位置合わせをする。この際、接続鉄筋６０のＰＣ梁２４０の左端部からの突出量が、ＰＣ梁２４０の左端部とＰＣ柱２０との右端部との距離よりも小さくなるように、梁主筋２４２と接続鉄筋６０とを継手する左側の機械式継手８０を、右側の機械式継手８０と同様に設定しておく。
【００６７】
ここで、接続鉄筋２１０のＰＣ柱３０の左端部からの突出量が、ＰＣ柱３０の左端部とＰＣ梁２４０の右端部との距離よりも小さく、また、接続鉄筋６０のＰＣ梁２４０の左端部からの突出量が、ＰＣ梁２４０の左端部とＰＣ柱２０の右端部との距離よりも小さい。これにより、ＰＣ梁２４０を、既に建て込まれたＰＣ柱２０とＰＣ柱３０との間に挿入できる。
【００６８】
次は、図１９に示すように、ＰＣ梁２４０の左右両側の機械式継手７０を締結させる。この締結作業では、接続鉄筋２１０を回転させて接続鉄筋２１０側のネジ部７１を梁主筋２４２側のカプラーナット７５に螺合させる。そして、接続鉄筋２１０側のロックナット７３を、カプラーナット７５に当接させた状態で、所定トルクで締め込む。また、接続鉄筋６０を回転させて接続鉄筋６０側のネジ部７１を鉄筋２２側のカプラーナット７５に螺合させる。そして、接続鉄筋６０側のロックナット７３を、カプラーナット７５に当接させた状態で、所定トルクで締め込む。
【００６９】
その後、シース管３４、４４、５４内及び機械式継手７０の周囲にグラウトを注入することにより、接続鉄筋２１０を、シース管３４、５４、機械式継手７０、８０に定着させ、接続鉄筋６０を、シース管４４、機械式継手７０、８０に定着させる。
【００７０】
ところで、ＰＣ梁２４０に生じる曲げ応力は、両端部において最大となり、その両端部においてＰＣ梁２４０とＰＣ柱２０、３０とが接合されている。このため、本実施形態に係る架構２００では、ＰＣ梁２４０とＰＣ柱２０、３０との接合強度を高めるために、ＰＣ梁２４０の両端部においてスリーブ継手ではなく機械式継手８０により梁主筋２４２と接続鉄筋６０、２１０とを継手している。
【００７１】
なお、本実施形態では、接続鉄筋６０をＰＣ梁２４０に挿入し、機械式継手７０のカプラー７５をＰＣ柱２０の接続鉄筋２２に螺合させた状態で、ＰＣ梁２４０とＰＣ柱２０とを建て込んだ。しかし、接続鉄筋６０をＰＣ柱２０に挿入し、機械式継手７０のカプラー７５をＰＣ梁２４０の梁主筋２４２に螺合させた状態で、ＰＣ梁２４０とＰＣ柱２０とを建て込んでもよい。
【００７２】
図２０は、他の実施形態に係る架構３００を示す立面断面図である。この図に示すように、架構３００は、左右一対のＰＣ柱３０２と、ＰＣ柱３０２上に建て込まれた左右一対のＰＣ仕口部３２０と、左右のＰＣ仕口部３２０の間に建て込まれたＰＣ梁３４０とを備える。
【００７３】
ＰＣ梁３４０には梁主筋３４２が埋設されている。また、ＰＣ梁３４０の左右両端部には、シース管４４が埋設され、このシース管４４内に機械式継手８０が配されている。左右両側の機械式継手８０は、梁主筋３４２に連結されている。
【００７４】
また、左右両側のシース管４４内には、接続鉄筋６０が配されている。接続鉄筋６０の左右方向内側は、機械式継手８０に連結されており、接続鉄筋６０の左右方向外側は、ＰＣ梁３４０の左右両端部から突出している。
【００７５】
ここで、接続鉄筋６０をＰＣ梁３４０の左右端部から突出させた状態では、機械式継手８０のボルト８３とスリーブ８１のネジ部の最奥部、及びナット８４とナット８５とが離間し、その離間距離の分だけ、接続鉄筋６０を左右方向内側に移動させることができる。
【００７６】
また、ＰＣ仕口部３２０には接続鉄筋６０と接続される鉄筋２２が埋設されている。鉄筋２２は、ＰＣ仕口部３２０のＰＣ梁３４０側の端部まで延びており、機械式継手７０により、接続鉄筋６０と連結されている。
【００７７】
図２１及び図２２は、ＰＣ柱３２０とＰＣ梁３４０との接合方法を説明するための立面断面図である。図２１に示すように、まず、左右一対のＰＣ仕口部３２０を左右一対のＰＣ柱３０２上に建て込む工程を実施する。左側の接続鉄筋６０のＰＣ梁３４０の左端部からの突出量が、ＰＣ梁３４０の左端部とＰＣ仕口部３２０の右端部との距離より小さくなるように、左側の接続鉄筋６０を正規位置よりも右側へ寄せておく。また、右側の接続鉄筋６０のＰＣ梁３４０の右端部からの突出量が、ＰＣ梁３４０の右端部とＰＣ仕口部３２０の左端部との距離より小さくなるように、右側の接続鉄筋６０を正規位置よりも左側へ寄せておく。
【００７８】
次に、ＰＣ梁３４０をＰＣ仕口部３２０とＰＣ仕口部３３０との間に建て込む工程を実施する。この工程では、ＰＣ梁３４０を垂直に降下させ、左右両側の機械式継手７０の位置合わせをする。この際、左側の接続鉄筋６０のＰＣ梁３４０の左端部からの突出量が、ＰＣ梁３４０の左端部とＰＣ仕口部３２０の右端部との距離より小さく、また、右側の接続鉄筋６０のＰＣ梁３４０の右端部からの突出量が、ＰＣ梁３４０の右端部とＰＣ仕口部３２０の左端部との距離より小さいことから、ＰＣ梁３４０を左右のＰＣ仕口部３２０の間に挿入することができる。
【００７９】
次は、図２２に示すように、ＰＣ梁３４０の左右両側の機械式継手７０を締結させる。この締結作業では、接続鉄筋６０を回転させて接続鉄筋６０側のネジ部７１を鉄筋２２側のカプラーナット７５に螺合させる。そして、接続鉄筋６０側のロックナット７３を、カプラーナット７５に当接させた状態で、所定トルクで締め込む。
【００８０】
その後、シース管４４内及び機械式継手７０の周囲にグラウトを注入することにより、接続鉄筋６０を、シース管４４及び機械式継手７０、８０に定着させる。
【００８１】
なお、本実施形態では、接続鉄筋６０をＰＣ梁３４０に挿入し、機械式継手７０のカプラー７５をＰＣ仕口部３２０の接続鉄筋２２に螺合させた状態で、ＰＣ梁３４０とＰＣ仕口部３２０とを建て込んだ。しかし、接続鉄筋６０をＰＣ仕口部３２０に挿入し、機械式継手７０のカプラー７５をＰＣ梁３４０の梁主筋３４２に螺合させた状態で、ＰＣ梁３４０とＰＣ仕口部３２０とを建て込んでもよい。
【００８２】
図２３は、他の実施形態に係る架構４００を示す立面断面図である。この図に示すように、架構４００は、ＰＣ柱４０２、４０４と、仕口部４２０Ａと梁部４２０Ｂとが一体化されたＰＣ部材４２０と、仕口部４３０Ａと梁部４３０Ｂ、４３０Ｂ´とが一体化されたＰＣ部材４３０と、ＰＣ梁４４０とを備える。
【００８３】
ＰＣ部材４２０の仕口部４２０ＡとＰＣ柱４０２とは建物の最外部に配置されており、仕口部４２０ＡはＰＣ柱４０２に定着されている。また、ＰＣ部材４３０の仕口部４３０ＡとＰＣ柱４０４とは建物の内側に配置されており、仕口部４３０ＡはＰＣ柱４０４に定着されている。
【００８４】
また、ＰＣ部材４２０の梁部４２０Ｂは、仕口部４２０Ａから右側へ延びており、ＰＣ部材４３０の梁部４３０Ｂは、仕口部４３０Ａから左側へ延びている。また、ＰＣ部材４３０の梁部４３０Ｂ´は、仕口部４３０Ａから右側へ延びている。ＰＣ梁４０は、梁部４２０Ｂと梁部４３０Ｂとの間に建て込まれている。
【００８５】
ＰＣ梁４４０には、梁主筋４４２が埋設されている。また、ＰＣ部材４２０、４３０には、それぞれ梁主筋４４２と連結される鉄筋２２、４３２が埋設されている。梁主筋４４２の左端部と鉄筋２２の右端部とは、上記実施形態に係る架構３００と同様、接続鉄筋６０、機械式継手７０、８０により連結されている。また、梁主筋４４２の右端部と梁主筋４３２の左端部とは、ＰＣ部材４３０の梁部４３０Ｂに埋設された機械式継手４３６により連結されている。
【００８６】
図２４（Ａ）（Ｂ）は、ＰＣ部材４２０とＰＣ梁４４０との接合方法を説明するための立面断面図である。図２４（Ａ）に示すように、まず、右側のＰＣ部材４３０を右側のＰＣ柱４０４上に建て込む。次に、ＰＣ梁４２０を右側へ水平に移動させて梁主筋４４２をＰＣ部材４３０の機械式継手４３６に挿入する。そして、左側のＰＣ部材４２０を右側のＰＣ柱４０２上に下降させて建て込む。この際、接続鉄筋６０のＰＣ梁４４０の左端部からの突出量が、ＰＣ梁４４０の左端部とＰＣ部材４２０の右端部との距離よりも小さくなるように、接続鉄筋６０を正規位置よりも右側に寄せておく。
【００８７】
次は、図２４（Ｂ）に示すように、機械式継手７０を締結させる。この締結作業では、接続鉄筋６０を回転させて接続鉄筋６０側のネジ部７１を鉄筋２２側のカプラーナット７５に螺合させる。そして、接続鉄筋６０側のロックナット７３を、カプラーナット７５に当接させた状態で、所定トルクで締め込む。
【００８８】
その後、ＰＣ部材４２０とＰＣ梁４４０との間、ＰＣ梁４４０とＰＣ部材４３０との間にグラウトを注入することにより、接続鉄筋６０を、機械式継手７０、８０に定着させ、梁主筋４４２を機械式継手４３６に定着させる。
【００８９】
なお、本実施形態では、接続鉄筋６０をＰＣ梁４４０に挿入し、機械式継手７０のカプラー７５をＰＣ部材４２０の接続鉄筋２２に螺合させた状態で、ＰＣ梁４４０とＰＣ部材４２０とを建て込んだ。しかし、接続鉄筋６０をＰＣ部材４２０に挿入し、機械式継手７０のカプラー７５をＰＣ梁４４０の梁主筋４４２に螺合させた状態で、ＰＣ梁４４０とＰＣ部材４２０とを建て込んでもよい。
【００９０】
図２５は、他の実施形態に係る架構５００を示す立面断面図である。この図に示すように、架構５００と上記実施形態に係る架構４００との異なる点は、梁主筋４４２の右端部と鉄筋４３２の左端部とを、接続鉄筋６０、機械式継手７０、８０により連結した点である。
【００９１】
図２６（Ａ）、（Ｂ）は、ＰＣ部材４２０とＰＣ梁４４０との接合方法を説明するための立面断面図である。図２６（Ａ）に示すように、まず、左右のＰＣ部材４２０、４３０を左右のＰＣ柱４０２、４０４上に降下させて建て込む。また、ＰＣ梁４２０をＰＣ部材４２０とＰＣ部材４３０との間に降下させる。この際、左側の接続鉄筋６０を、ＰＣ梁４４０の左端部からＰＣ部材４２０の右端部まで突出しないように、右側へ寄せておく。また、右側の接続鉄筋６０を、ＰＣ梁４４０の右端部からＰＣ部材４３０の左端部まで突出しないように、左側へ寄せておく。
【００９２】
次は、図２６（Ｂ）に示すように、ＰＣ梁４４０の左右の機械式継手７０を締結させる。この締結作業では、接続鉄筋６０を回転させて接続鉄筋６０側のネジ部７１を鉄筋２２側のカプラーナット７５に螺合させる。そして、接続鉄筋６０側のロックナット７３を、カプラーナット７５に当接させた状態で、所定トルクで締め込む。
【００９３】
その後、ＰＣ部材４２０とＰＣ梁４４０との間、ＰＣ梁４４０とＰＣ部材４３０との間にグラウトを注入することにより、接続鉄筋６０を、機械式継手７０、８０に定着させる。
なお、本実施形態では、接続鉄筋６０をＰＣ梁４４０に挿入し、機械式継手７０のカプラー７５をＰＣ部材４２０、４３０の接続鉄筋２２、４３２に螺合させた状態で、ＰＣ梁４４０とＰＣ部材４２０、４３０とを建て込んだ。しかし、接続鉄筋６０をＰＣ部材４２０に挿入し、機械式継手７０のカプラー７５をＰＣ梁４４０の梁主筋４４２に螺合させた状態で、ＰＣ梁４４０とＰＣ部材４２０、４３０とを建て込んでもよい。
【００９４】
図２７は、他の実施形態に係る架構６００を示す立面断面図である。この図に示すように、架構６００と上記実施形態に係る架構５００との異なる点は、ＰＣ梁４４０の左右両端部にシース管４４、機械式継手４６を埋設し、梁主筋４４２の左端部と鉄筋２２の右端部、梁主筋４４２の右端部と鉄筋４３２の左端部とを、接続鉄筋６０、機械式継手４６、機械式継手７０により連結した点である。
【００９５】
図２８（Ａ）、（Ｂ）は、ＰＣ部材４２０とＰＣ梁４４０との接合方法を説明するための立面断面図である。図２８（Ａ）に示すように、まず、左右のＰＣ部材４２０、４３０を、左右のＰＣ柱４０２、４０４上に降下させて建て込む。また、ＰＣ梁４２０を、ＰＣ部材４２０とＰＣ部材４３０との間に降下させる。この際、左側の接続鉄筋６０を、ＰＣ梁４４０の左端部からＰＣ部材４２０の右端部まで突出しないように、右側へ寄せておく。また、右側の接続鉄筋６０を、ＰＣ梁４４０の右端部からＰＣ部材４３０の左端部まで突出しないように、左側へ寄せておく。
【００９６】
次は、図２８（Ｂ）に示すように、左右の機械式継手７０を締結させる。この締結作業では、接続鉄筋６０を回転させて接続鉄筋６０側のネジ部７１を鉄筋２２側のカプラーナット７５に螺合させる。そして、接続鉄筋６０側のロックナット７３を、カプラーナット７５に当接させた状態で、所定トルクで締め込む。
【００９７】
その後、ＰＣ部材４２０とＰＣ梁４４０との間、ＰＣ梁４４０とＰＣ部材４３０との間にグラウトを注入することにより、接続鉄筋６０を、機械式継手７０、機械式継手４６に定着させる。
【００９８】
なお、本実施形態では、接続鉄筋６０をＰＣ梁４４０に挿入し、機械式継手７０のカプラー７５をＰＣ部材４２０、４３０の接続鉄筋２２、４３２に螺合させた状態で、ＰＣ梁４４０とＰＣ部材４２０、４３０とを建て込んだ。しかし、接続鉄筋６０をＰＣ部材４２０に挿入し、機械式継手７０のカプラー７５をＰＣ梁４４０の梁主筋４４２に螺合させた状態で、ＰＣ梁４４０とＰＣ部材４２０、４３０とを建て込んでもよい。
【００９９】
図２９は、他の実施形態に係る架構７００を示す立面断面図である。この図に示すように、架構７００は、ＰＣ柱２０、３０と、ＰＣ梁５０、４４０と、ＰＣブロック７４０とを備える。ＰＣブロック７４０は、ＰＣ梁４４０とＰＣ柱３０との間に建て込まれている。
【０１００】
ＰＣブロック７４０には、ＰＣブロック７４０を貫通するシース管７４４が埋設されている。このシース管７４４、ＰＣ柱３０に埋設されたシース管３４、ＰＣ梁５０に埋設されたシース管５４及び機械式継手５６には、接続鉄筋７１０が挿通されている。この接続鉄筋７１０の右端部は、機械式継手５６によりＰＣ梁５０の梁主筋５２に継手されている。また、接続鉄筋７１０の左端部は、機械式継手７０によりＰＣ梁４４０の梁主筋４４２に継手されている。
【０１０１】
図３０（Ａ）〜（Ｃ）は、ＰＣ柱２０とＰＣ梁４４０との接合方法を説明するための立面断面図である。図３０（Ａ）に示すように、まず、接続鉄筋７１０を水平に右側へ移動させてシース管７４４、３４、５４及び機械式継手５６に挿入する。
【０１０２】
次は、図３０（Ｂ）に示すように、ＰＣ梁４４０を、ＰＣ柱２０とＰＣブロック７４０との間に降下させて建て込む。この際、接続鉄筋７１０の左端部がＰＣブロック７４０の左端部からＰＣ梁４４０の右端部まで突出しないように、また、接続鉄筋６０の左端部がＰＣ梁４４０の左端部からＰＣ柱２０の右端部まで突出しないように、接続鉄筋７１０、６０、ＰＣ梁５０、ＰＣ柱３０、及びＰＣブロック７４０を、正規位置よりも右側に寄せておく。
【０１０３】
次は、図３０（Ｃ）に示すように、左右の機械式継手７０を締結させる。この締結作業では、接続鉄筋６０を回転させて接続鉄筋６０側のネジ部７１を鉄筋２２側のカプラーナット７５に螺合させる。そして、接続鉄筋６０側のロックナット７３を、カプラーナット７５に当接させた状態で、所定トルクで締め込む。
【０１０４】
次は、ＰＣ梁４４０、ＰＣブロック７４０、ＰＣ柱３０、ＰＣ梁５０を左側に移動させて正規位置に配置する。その後、ＰＣ柱２０とＰＣ梁４４０との間、ＰＣ梁４４０とＰＣブロック７４０との間、ＰＣブロック７４０とＰＣ柱３０との間、ＰＣ柱３０とＰＣ梁５０との間にグラウトを注入することにより、接続鉄筋６０を、機械式継手７０、シース管４４、機械式継手４６に定着させ、接続鉄筋７１０を、機械式継手７０、シース管７４４、３４、５４、機械式継手５６に定着させる。
【０１０５】
なお、本実施形態では、接続鉄筋６０をＰＣ梁４４０に挿入し、機械式継手７０のカプラー７５をＰＣ柱２０の接続鉄筋２２に螺合させた状態で、ＰＣ梁４４０とＰＣブロック７４０と、ＰＣ柱２０、３０とを建て込んだ。しかし、接続鉄筋６０をＰＣ柱２０に挿入し、機械式継手７０のカプラー７５をＰＣ梁４４０の梁主筋４４２に螺合させた状態で、ＰＣ梁４４０とＰＣブロック７４０とＰＣ柱２０、３０とを建て込んでもよい。
【符号の説明】
【０１０６】
１０、１００、２００、３００、４００、５００、６００、７００  架構、２０、３２０  ＰＣ柱（第２部材）、３０、３０２、４０２、４０４  ＰＣ柱、２１、４１  凹部、２２、６１、１２２  鉄筋（第２部材の鉄筋）、４０、２４０、３４０、４４０  ＰＣ梁（第１部材）、５０、２５０  ＰＣ梁、３４、４４、５４、７４４  シース管、４２、２４２、３４２、４４２  梁主筋（第１部材の鉄筋）、５２、２５２、４３２  梁主筋、４６  スリーブ式の機械式継手（第２機械式継手）、５６  スリーブ式の機械式継手、６０、７１０  接続鉄筋（接続部材）、７０、９０Ａ  ネジ式の機械式継手（第１機械式継手）、８０、９０Ｂ  ネジ式の機械式継手（第２機械式継手）、４３６  ネジ式の機械式継手、７１、７２  ネジ部、７３、７４  ロックナット、７５  カプラーナット、７６、７７  バリ、８１、８２  スリーブ、８３  ボルト、８４、８５  ナット、９１  スリーブ（第１スリーブ）、９２  スリーブ（第２スリーブ）、９３  ボルト（接続部材）、９４  固定ナット（第１ナット）、９５  移動ナット（第２ナット）、１２０、４２０  ＰＣ部材（第２部材）、４３０  ＰＣ部材、１２０Ｃ  柱部、１２０Ｂ、４２０Ｂ、４３０Ｂ、４３０Ｂ´  梁部、３２０  ＰＣ仕口部、４２０Ａ  仕口部、７４０  ＰＣブロック
【図１】
0005593868.tif 000002
【図２】
0005593868.tif 000003
【図３】
0005593868.tif 000004
【図４】
0005593868.tif 000005
【図５】
0005593868.tif 000006
【図６】
0005593868.tif 000007
【図７】
0005593868.tif 000008
【図８】
0005593868.tif 000009
【図９】
0005593868.tif 000010
【図１０】
0005593868.tif 000011
【図１１】
0005593868.tif 000012
【図１２】
0005593868.tif 000013
【図１３】
0005593868.tif 000014
【図１４】
0005593868.tif 000015
【図１５】
0005593868.tif 000016
【図１６】
0005593868.tif 000017
【図１７】
0005593868.tif 000018
【図１８】
0005593868.tif 000019
【図１９】
0005593868.tif 000020
【図２０】
0005593868.tif 000021
【図２１】
0005593868.tif 000022
【図２２】
0005593868.tif 000023
【図２３】
0005593868.tif 000024
【図２４】
0005593868.tif 000025
【図２５】
0005593868.tif 000026
【図２６】
0005593868.tif 000027
【図２７】
0005593868.tif 000028
【図２８】
0005593868.tif 000029
【図２９】
0005593868.tif 000030
【図３０】
0005593868.tif 000031